(57)【要約】【課題】  清掃性にすぐれた板状の風呂蓋を用いて、上面を凹状湾曲面を有する浴槽本体を密閉することが可能な風呂蓋を具備した浴槽を提供する。【解決手段】  浴室の洗い場に隣接させて設置され、上部の周囲にリムが形成された平面視長方形状の浴槽本体と、浴槽本体の上面を密閉する風呂蓋と、を備えた浴槽において、浴槽本体は、洗い場に最も近接した洗い場側リムと、洗い場から最も離れた奥壁側リムと、を、洗い場側リムの上面と奥壁側リムの上面が長手方向に対して凹状となるように同一の曲率で湾曲させてなり、風呂蓋は、複数枚で浴槽の上面を覆うことが可能な板状であり、その全体を前記浴槽の凹状湾曲面と同一の曲率で湾曲させた。【選択図】  図４
2013248080.tif 000002
【特許請求の範囲】
【請求項１】
浴室の洗い場に隣接させて設置され、上部の周囲にリムが形成された平面視長方形状の浴槽本体と、
前記浴槽本体の上面を密閉する風呂蓋と、を備えた浴槽において、
前記浴槽本体は、前記洗い場に最も近接した洗い場側リムと、前記洗い場から最も離れた奥壁側リムと、を、前記洗い場側リムの上面と奥壁側リムの上面が長手方向に対して凹状となるように同一の曲率で湾曲させてなり、
前記風呂蓋は、複数枚で浴槽の上面を覆うことが可能な板状であり、その全体を前記浴槽の凹状湾曲面と同一の曲率で湾曲させたことを特徴とする浴槽。
【請求項２】
前記浴槽本体の、前記洗い場側リムと前記奥壁側リムとを繋ぐ短手側リムを、前記洗い場側リムと奥壁側リムと同一の方向に同一の曲率で湾曲させたことを特徴とする請求項１記載の浴槽。
【請求項３】
前記浴槽本体は、洗い場から最も離れた奥壁側内側面よりも洗い場に最も近い洗い場側内側面を傾斜させて、前記浴槽本体の洗い場に近い側の内面コーナー部の曲率を、洗い場から離れた側の内面コーナー部の曲率よりも大きくしたことを特徴とする請求項１または２に記載の浴槽。
【発明の詳細な説明】
【技術分野】
【０００１】
本発明は、風呂蓋を具備する浴槽に関する。
【背景技術】
【０００２】
浴槽につかった状態で、浴槽のリムを枕代わりにした入浴姿勢をとることにより、リラックスすることができることは、従来より知られている。しかし、浴槽の高さは、洗い場から入浴する際にまたぎやすい、比較的低い寸法になっているので、腰を前方に投げ出した姿勢をとらないと浴槽のリムに頭を載せるのが難しかった。
そこで、浴槽のリムの洗い場側は高さを変えず、頭が来る位置だけリムを一段高くした浴槽が考えられるが、これでは、浴槽のリムに段部が形成されてしまうので、見た目が良くない、という問題があった。
これに対して、特許文献１に示すように、浴槽のリムを長手方向に凹状湾曲面を形成した浴槽が提案されている。この例では、またぎ高さを確保したまま、頭の当たる位置のリムを高くすることができる上、リムに段部がなく、上面が緩い湾曲面を描いているので、見た目にも美しさを感じられる。
【先行技術文献】
【特許文献】
【０００３】
【特許文献１】特開平１０−３２３２９５号公報
【発明の概要】
【発明が解決しようとする課題】
【０００４】
しかし、このように上面が湾曲面となった浴槽の上面を密閉するには、従来の平板状の風呂蓋では大きな隙間ができてしまうので、特許文献１の図６，７に示すごとく、巻き式風呂蓋を使わざるを得なかった。ところが、巻き式風呂蓋は、巻き取った風呂蓋を収納することができず、浴槽のリム上に置かれることが多いため、汚れやすく、その反面、巻き式風呂蓋の表面には巻き取るための凹凸が形成されているので、汚れを除去しにくく、極めて清掃性が悪いものであった。
そこで、本発明は、清掃性にすぐれた板状の風呂蓋を用いて、上面を凹状湾曲面を有する浴槽を密閉することが可能な風呂蓋を具備した浴槽を提供することを目的とする。
【課題を解決するための手段】
【０００５】
上記した目的を達成するために、本発明の請求項１にかかる発明は、浴室の洗い場に隣接させて設置され、上部の周囲にリムが形成された平面視長方形状の浴槽本体と、前記浴槽本体の上面を密閉する風呂蓋と、を備えた浴槽において、前記浴槽本体は、前記洗い場に最も近接した洗い場側リムと、前記洗い場から最も離れた奥壁側リムと、を、前記洗い場側リムの上面と奥壁側リムの上面が長手方向に対して凹状となるように同一の曲率で湾曲させてなり、前記風呂蓋は、複数枚で浴槽の上面を覆うことが可能な板状であり、その全体を前記浴槽の凹状湾曲面と同一の曲率で湾曲させたものである。
【０００６】
これによれば、浴槽本体のリムは、端から端まで同じ曲率の湾曲面となっているので、四角形が基本の浴室内で、浴槽本体が丸みを帯びた見た目となるため、浴室内に柔らかな感じを与えることができる。
また、風呂蓋は、浴槽本体のリムに一致する湾曲面を備えているので、浴槽上を風呂蓋で密閉することができ、一般的な浴槽本体と同様の断熱効率を保つことができる。
さらに、風呂蓋の浴槽側の面は、浴槽本体のリムの湾曲面と同一の曲率を有する湾曲面となっている。そのため、風呂蓋の位置がずれたとしても浴槽本体との間に隙間が生じることはない。よって、極めて高い断熱効率を得ることができる。
【０００７】
また、請求項２にかかる発明は、前記浴槽本体の、前記洗い場側リムと前記奥壁側リムとを繋ぐ短手側リムを、前記洗い場側リムと奥壁側リムと同一の方向に同一の曲率で湾曲させている。
【０００８】
これによれば、浴槽本体の短手側リムは、従来の浴槽本体のリムの位置よりも高い位置で、且つ、浴槽本体の内側に傾くように形成された湾曲面となるため、従来の浴槽本体よりも、入浴姿勢の人の頭を楽な姿勢で支えることができ、より入浴時にリラックスすることが可能となる。
【０００９】
また、請求項３にかかる発明は、前記浴槽本体は、洗い場から最も離れた奥壁側内側面よりも洗い場に最も近い洗い場側内側面を傾斜させて、前記浴槽本体の洗い場に近い側の内面コーナー部の曲率を、洗い場から離れた側の内面コーナー部の曲率よりも大きくしている。
【００１０】
これによれば、浴槽本体の洗い場に近い側の内面コーナー部の曲率が反対側より大きいので、入浴者は内面コーナー部に背中をもたれるようにして入浴することができ、足の長さに応じて背もたれ位置を変えることが可能となる。
【発明の効果】
【００１１】
本発明によれば、清掃性にすぐれた板状の風呂蓋を用いて、上面を凹状湾曲面を有する浴槽を密閉することが可能な風呂蓋を具備した浴槽が提供される。
【図面の簡単な説明】
【００１２】
【図１】本発明の浴槽を具備した浴室の斜視図
【図２】浴槽本体の斜視図
【図３】風呂蓋を表す図で、（ａ）は平面図、（ｂ）は断面図
【図４】浴槽本体に風呂蓋を載せた状態の斜視図
【発明を実施するための形態】
【００１３】
以下、図を参照しながら、本発明の実施形態について説明する。
図１は本発明の浴槽を具備した浴室の斜視図、図２は浴槽本体の斜視図である。
図１に示すように、浴槽本体２は、浴室１の内部にて、洗い場１１に隣接するように設置され、洗い場１１との境界にはバスエプロン２８が設置されている。
【００１４】
浴槽本体２は平面視長方形状であって、底面２１と、洗い場に最も近い洗い場側内側面２２と、洗い場側内側面２２と対向して洗い場１１から最も遠い奥壁側内側面２３と、背もたれ用左側内側面２４と、背もたれ用右側内側面２５と、を備え、上面が開口部２６となっている。また、洗い場側内側面２２、奥壁側内側面２３、背もたれ用左側内側面２４、背もたれ用右側内側面２５の上端部には、外方に突き出るように形成されたリムが設けられている。このリムは、浴槽本体２の四周に連続して形成されている。
【００１５】
また、浴槽本体２は、その底面に排水口２１１が形成され、浴槽本体２に湯を貯められるように排水口２１１を塞ぐことができる排水栓（図示せず）を備えている。
【００１６】
なお、浴槽本体２は、貯めた湯の熱を逃げにくくするために、図示せぬ保温材で周囲を囲っておくのが好ましい。
【００１７】
また、この浴槽本体２は、奥壁側内側面２３よりも洗い場側内側面２２を傾斜させている。これにより、浴槽本体２の洗い場１１に近い側の内面コーナー部２６は、洗い場１１から離れた奥壁側の内面コーナー部２７よりも、大きな曲率のＲとなっている。よって、洗い場１１に近い側の内面コーナー部２６を背もたれとして利用することができる。内面コーナー部２６を背もたれとすることにより、入浴姿勢で脚を伸ばすスペースが確保できるので、脚の長い人であってもよりリラックスすることができる。
【００１８】
次に、浴槽本体のリムの形状について説明する。
浴槽本体２の洗い場側内側面２２の外方に形成された洗い場側リム２２ａ、および、奥壁側内側面２３の外方に形成された奥壁側リム２３ａは、その上面が、リム２２ａ、２３ａの長手方向に沿って下方に凹むような湾曲面となっている。そして、その曲率は、端から端まで同一であり、本実施形態ではＲ４０００〜R５０００の曲率である。また、背もたれ用左側内側面２４の外方に形成された左リム２４ａ、および、背もたれ用右側内側面２５の外方に形成された右リム２５ａは、その上面が、リム２４ａ、２５ａの短手方向に沿って、且つ、洗い場側リム２２ａおよび奥壁側リム２３ａの長手方向の湾曲面と同一の曲率で、凹んだ湾曲面となっている。そのため、浴槽本体２のリム２２ａ〜２５ａの上面は、長方形状の長手方向に端から端まで同一の曲率の湾曲面となる。
【００１９】
このように、この浴槽本体２のリム２２ａ〜２５ａは、端から端まで同じ曲率の湾曲面となっているので、四角形が基本の浴室１内で、浴槽本体２が丸みを帯びた見た目となるため、浴室１内に柔らかな感じを与えることができる斬新な形態となる。
【００２０】
また、左リム２４ａ、右リム２５ａは、従来のリムの位置よりも高い位置であり、且つ、浴槽本体２の内側に傾くように形成された湾曲面となっている。そのため、従来の浴槽本体よりも、入浴姿勢の人の頭を楽な姿勢で支えることができる。よって、従来よりも、入浴時にリラックスすることが可能となる。
【００２１】
しかも、左リム２４ａ、右リム２５ａが従来よりも高い位置にあるのに対して、洗い場側リム２２ａと奥壁側リム２３ａの長手方向の中央部分の高さは従来と同じ高さに抑えることができるので、浴槽本体２のまたぎ高さは従来どおりとすることができる。
【００２２】
次に、浴槽本体を覆う風呂蓋について説明する。
図３は風呂蓋の平面図および断面図であり、図４は浴槽本体に風呂蓋を載せた状態の斜視図である。
【００２３】
風呂蓋３は、洗い場１１から見て向かって左側に設けられる左側蓋３１と、向かって右側に設けられる右側蓋３２と、に分かれている。左側蓋３１と右側蓋３２は対称な形状なので、以下、左側蓋３１について説明する。
【００２４】
左側蓋３１は、内部に発泡ウレタンなどの断熱材を内蔵させ、表面をＡＢＳなどの樹脂で成形した樹脂成形品である。左側蓋３１のほぼ中央部には、左側蓋３１を持ち運ぶための把手３１１が設けられている。そして、この左側蓋３１は、上面が下方に凹状となるように凹んだ湾曲状となっている。また、左側蓋３１の浴槽側の面３１ａは、下面が凸状となるような湾曲面となって。そして、浴槽側の湾曲面３１ａの曲率は、前述した浴槽本体２の洗い場側リム２２ａおよび奥壁側リム２３ａの長手方向の湾曲面と同一の曲率であり、本実施形態ではＲ４０００〜R５０００の曲率である。
【００２５】
この風呂蓋３が、浴槽本体２のリム２２ａ、２３ａの湾曲面と一致しない場合には、風呂蓋３で浴槽本体２の開口部２６を密閉することができず、貯めた湯の熱が浴室内に逃げてしまうため、せっかく貯めた湯がすぐに低下してしまう。
【００２６】
しかし、本実施形態の風呂蓋３は、浴槽本体２のリム２２ａ〜２５ａに一致する湾曲面を備えているので、浴槽上を風呂蓋３で密閉することができ、一般的な浴槽本体と同様の断熱効率を保つことができる。
【００２７】
さらに、本実施形態の風呂蓋３の浴槽側の面３１ａは、浴槽本体２のリム２２ａ、２３ａの湾曲面と同一の曲率を有する湾曲面となっている。そのため、風呂蓋３の位置がずれたとしても浴槽本体２との間に隙間が生じることはない。よって、極めて高い断熱効率を得ることができる。
【００２８】
以上、本発明の実施の形態について説明した。しかし、本発明はこれらの記述に限定されるものではない。
例えば、実施の形態では、浴槽本体２の上面及び風呂蓋３の下面の曲率をどちらもＲ４０００〜R５０００としたが、本発明は、これに限定されるものではない。
また、浴槽本体２の短手側リム(左リム２４、右リム２５)を、リムの長手方向に洗い場側リムや奥壁側リムと同一の曲率で湾曲させてもよい。
【符号の説明】
【００２９】
１      浴室
１１    洗い場
２      浴槽本体
３      風呂蓋
２２    洗い場側内側面
２２ａ  洗い場側リム
２３    奥壁側内側面
２３ａ  奥壁側リム
２４    左リム（短手側リム）
２５    右リム（短手側リム）
２６    洗い場に近い側の内面コーナー部
２７    洗い場から離れた側の内面コーナー部
【図１】
2013248080.tif 000003
【図２】
2013248080.tif 000004
【図３】
2013248080.tif 000005
【図４】
2013248080.tif 000006